(57)【要約】【課題】  ラックの用途に応じてセキュリティ扉の位置を変更できるラック列構造およびデータセンターを提供する。【解決手段】  データセンター１のラック列構造２において、サーバを収納する複数のラック４を並べてラック列３を形成し、相対向するラック列間にメンテナンス通路５を設け、メンテナンス通路５の前面にセキュリティ扉６を建て付ける。メンテナンス通路５に臨むラック４の支柱１７に嵌合溝１６を形成し、嵌合溝１６にセキュリティ扉６の外枠１５を分解可能に取り付け、セキュリティ扉６の建付位置をメンテナンス通路５の長手方向へ変更可能とする。セキュリティ扉６よりも内側に位置するラック４にホスティングサービス用のサーバを収納し、セキュリティ扉６よりも外側に位置するラック４にハウジングサービス用のサーバを収納し、外側のラック４に個別セキュリティ扉１３を設ける。【選択図】        図１
2012222021.tif 000002
【特許請求の範囲】
【請求項１】
電気機器を収納する複数のラックを並べてラック列を形成し、相対向するラック列間にメンテナンス通路を設け、メンテナンス通路の前面にセキュリティ扉を建て付けたラック列構造において、
前記メンテナンス通路に臨むラックの表面に、前記セキュリティ扉の外枠を分解可能に取り付ける取付部を形成し、前記セキュリティ扉の建付位置をメンテナンス通路の長手方向へ変更可能としたことを特徴とするラック列構造。
【請求項２】
前記取付部がラックにおける表面側の支柱に沿って延びる嵌合溝を含み、前記セキュリティ扉の外枠を嵌合溝に嵌合して、ネジで支柱に螺着した請求項１記載のラック列構造。
【請求項３】
サーバを収納する複数のラックを並べてラック列を形成し、相対向するラック列間にメンテナンス通路を設け、メンテナンス通路の前面にセキュリティ扉を建て付けたラック列構造を備えたデータセンターにおいて、
前記メンテナンス通路に臨むラックの表面に、セキュリティ扉の外枠を分解可能に取り付ける取付部を形成し、前記セキュリティ扉の建付位置をメンテナンス通路の長手方向へ変更可能とし、
前記セキュリティ扉よりもメンテナンス通路側のラック内にホスティングサービス用のサーバを収納し、セキュリティ扉よりも外側のラック内にハウジングサービス用のサーバを収納し、前記外側のラックの表面に個別セキュリティ扉を設けたことを特徴とするデータセンター。
【発明の詳細な説明】
【技術分野】
【０００１】
本発明は、電気機器を収納する複数のラックを並べたラック列構造、および、このラック列構造をサーバ保管設備に用いたデータセンターに関する。
【背景技術】
【０００２】
近年、サーバを収納する複数のラックを並べてラック列を形成し、相対向するラック列間にメンテナンス通路を設け、メンテナンス通路の前面にセキュリティを維持するための扉を建て付けたラック列構造が知られている。例えば、特許文献１には、メンテナンス通路の前面に入口扉を吊り下げ、この扉でラック列間通路への部外者の立ち入りを制限する技術が記載されている。また、この種のラック列構造を使用し、一部のラックでハウジングサービスを提供し、残りのラックでホスティングサービスを提供するデータセンターも知られている。
【先行技術文献】
【特許文献】
【０００３】
【特許文献１】特開２０１０−１７１１１１号公報
【発明の概要】
【発明が解決しようとする課題】
【０００４】
しかし、同じフロアーのラック列構造を使用してハウジングおよびホスティングの両方のサービスを提供しているデータセンターでは、ハウジングサービスを受けている顧客がホスティングサービスエリアに出入りすることがある。このため、別の顧客からメンテナンスを委託されているホスティングサービス用のラックでは、サーバのセキュリティを維持するために、それぞれのラックに扉を設ける必要があった。なお、特許文献１の入口扉は、ラック列構造の定位置に固定的に設置されているため、両方のサービスを提供するデータセンターでは、サービスエリアのレイアウトが制限されるという問題点があった。
【０００５】
そこで、本発明の目的は、ラックの用途に応じて、セキュリティ扉の位置を変更できるラック列構造、および、このラック列構造を用いて、高セキュリティのホスティングサービスとハウジングサービスを供与できるデータセンターを提供することにある。
【０００６】
上記課題を解決するために、本発明のラック列構造は、電気機器を収納する複数のラックを並べてラック列を形成し、相対向するラック列間にメンテナンス通路を設け、メンテナンス通路の前面にセキュリティ扉を建て付け、メンテナンス通路に臨むラックの表面に、セキュリティ扉の外枠を分解可能に取り付ける取付部を形成し、セキュリティ扉の建付位置をメンテナンス通路の長手方向へ変更可能としたことを特徴とする。
【０００７】
ここで、セキュリティ扉の建付位置を容易に変更できるように、セキュリティ扉をネジでラックに取り付けるのが好ましい。具体的には、上記取付部が各ラックにおける表面側の支柱に沿って延びる嵌合溝を含み、セキュリティ扉の外枠を嵌合溝に嵌合して、ネジで支柱に螺着することができる。
【０００８】
また、本発明のデータセンターは、セキュリティ扉の建付位置をメンテナンス通路の長手方向へ変更可能としたラック列構造を備え、セキュリティ扉よりも内側に位置するラック内にホスティングサービス用のサーバを収納し、セキュリティ扉よりも外側に位置するラック内にハウジングサービス用のサーバを収納し、外側のラックの表面に個別セキュリティ扉を設けたことを特徴とする。
【発明の効果】
【０００９】
本発明のラック列構造によれば、メンテナンス通路に臨む位置のラックにセキュリティ扉を分解可能に取り付けたので、ラックの用途に応じて、セキュリティ扉の位置を変更できるという効果がある。
【００１０】
また、本発明のデータセンターによれば、セキュリティ扉の位置を変更できるので、一つのラック列構造を用いて、高セキュリティのホスティングサービスとハウジングサービスを提供できるという効果がある。
【図面の簡単な説明】
【００１１】
【図１】本発明の一実施形態を示すデータセンターの概観斜視図である。
【図２】データセンターのラック列構造を示す要部水平断面図である。
【図３】セキュリティ扉の取付構造を示す部分斜視図である。
【発明を実施するための形態】
【００１２】
以下、本発明の実施形態を図面に基づいて説明する。図１に示すデータセンター１は、同一フロアー上でホスティングサービスとハウジングサービスを提供するためのラック列構造２を設備している。このラック列構造２は、相対向して平行に延びる複数のラック列３を備えている。各ラック列３は、サーバを収納する複数のラック４を一列に並べて形成されている。相対向するラック列３の間にはメンテナンス通路５が設けられ、メンテナンス通路５の前面にセキュリティ扉６が建て付けられ、メンテナンス通路５の背面に背面パネル７が組み付けられている。
【００１３】
この実施形態のデータセンター１では、セキュリティ扉６よりも内側にホスティングサービスエリア１１が設定され、セキュリティ扉６よりも外側にハウジングサービスエリア１２が設定されている。ホスティングサービスエリア１１に位置するラック４内には、顧客からメンテナンスを委託されたホスティングサービス用のサーバが収納され、ハウジングサービスエリア１２に位置するラック４内に、顧客自身がメンテナンスを行うハウジングサービス用のサーバが収納される。そして、ハウジングサービスエリア１２のラック４の表面に個別セキュリティ扉１３が設けられている。
【００１４】
図２、図３に示すように、メンテナンス通路５に臨むラック４の表面には、セキュリティ扉６を分解可能に取り付ける取付部としての嵌合溝１６が形成されている。嵌合溝１６はラック４の前後左右４本の支柱１７を上下に延びるように形成され、セキュリティ通路５を挟んで対向する２つのラック４の嵌合溝１６にセキュリティ扉６の外枠１５が嵌合する。外枠１５にはネジ挿通孔２０が形成され、支柱１７にネジ孔２１が設けられ、外枠１５が嵌合溝１６に嵌合した状態で複数のネジ１９により支柱１７に分解可能に螺着されている。
【００１５】
そして、図１に示すように、ホスティングサービスエリア１１とハウジングサービスエリア１２の境界となる位置の支柱１７を選択し、この支柱１７の嵌合溝１６に外枠１５を嵌合し、ネジ１９で螺着することにより、セキュリティ扉６の建付位置をメンテナンス通路５の長手方向へ変更できるようになっている。なお、背面パネル７は、メンテナンス通路５の最も奥に位置するラック４の支柱１７に、セキュリティ扉６と同様に、ネジ１９で分解可能に組み付けられている。
【００１６】
従って、この実施形態のラック列構造２によれば、データーセンター１のサービス形態に応じて、セキュリティ扉６の位置をラック４の幅に相当するピッチで容易に変更することができる。例えば、ホスティングサービスのみを提供する場合は、セキュリティ扉６を各メンテナンス通路５の前端に揃えて設置することで、すべてのラック４から個別セキュリティ扉を省略し、キー管理の手間を省き、メンテナンス通路５に臨む開口部８を全開し、メンテナンス作業を容易にできるうえ、サーバの冷却効果を高めることが可能となる。
【００１７】
また、ホスティングサービスとハウジングサービスの両方を提供するデーターセンター１では、セキュリティ扉６の位置を変更することで、両方のサービスエリア１１，１２の広さをラック４の数に応じて容易に調整できる。しかも、セキュリティ扉６によりホスティングサービスエリア１１への外来者の立ち入りを制限でき、ハウジングサービスエリア１２では個別セキュリティ扉１３によってラック４に高度のセキュリティを確保できる。特に、セキュリティ扉６は、外枠１５を嵌合溝１６に嵌合し、ネジ１９で螺着しているので、建付位置を容易に変更できるうえ、ラック４に強固に組み付けることができる。
【００１８】
本発明は上記実施形態に限定されるものではなく、例えば、図１に示すラック列構造２おいて、ラック列３を縦横に配列したり、メンテナンス通路５の背面を建物の壁で塞ぎ、背面パネル７を省いたりするなど、発明の趣旨を逸脱しない範囲で、各部の構成を適宜に変更して実施することも可能である。
【符号の説明】
【００１９】
１    データセンター
２    ラック列構造
３    ラック列
４    ラック
５    メンテナンス通路
６    セキュリティ扉
１１    ホスティングサービスエリア
１２    ハウジングサービスエリア
１３    個別セキュリティ扉
１５    外枠
１６    嵌合溝
１７    支柱
１９    ネジ
【図１】
2012222021.tif 000003
【図２】
2012222021.tif 000004
【図３】
2012222021.tif 000005